(57)【特許請求の範囲】
【請求項１】
正面側の中央部分に配置されて下腹部位を覆うように設けられるとともに裏側に設けた横方向よりも縦方向の伸縮性の高い布片及び表側に設けた縦方向よりも横方向に伸縮性の高い布片からなる下腹当接部と、前記下腹当接部の左右両側に隣接配置されて大腿部位及び側面から背面側を覆うように設けられるとともに縦方向よりも横方向に伸縮性の高い布片からなる本体部と、前記本体部の裏側において前記下腹当接部の左右両側に隣接配置されて腰部位及び側面から臀部の上部位を覆うように設けられるとともに縦方向よりも横方向に伸縮性の高い布片からなる上側当接部と、前記本体部の裏側において前記下腹当接部の左右両側に隣接配置されて側面から臀部の下部位を覆うように設けられるとともに縦方向よりも横方向に伸縮性の高い布片からなる下側当接部と、前記下腹当接部、前記本体部及び前記上側当接部の上端に隣接配置されるとともに前記下腹当接部、前記本体部及び前記上側当接部よりも横方向の伸縮性の高いテープ状布片からなるリング状のベルト部とを備え、前記下腹当接部の布片の両側辺部は、前記本体部、前記上側当接部及び下側当接部の布片が重ね合わせて縫着されており、前記本体部の背面側には、臀部の中央部位を囲むように間隔を空けて前記上側当接部及び前記下側当接部の布片が重ね合わせて縫着されており、前記ベルト部の下辺部には、前記本体部及び前記上側当接部の布片が重ね合わせて縫着されるとともに前記下腹当接部の布片が縫着されていることを特徴とする衣類。
【請求項２】
前記上側当接部は、布片の上辺部が前記下腹当接部から背面側に行くに従い斜め上方向に傾斜する形状に形成されていることを特徴とする請求項１に記載の衣類。
【請求項３】
前記ベルト部は、３ｃｍ〜５ｃｍの幅に設定されていることを特徴とする請求項１又は２に記載の衣類。
【発明の詳細な説明】
【技術分野】
【０００１】
本発明は、ウエスト部から大腿部までに着用して体型を補整するとともに骨盤の位置を矯正する衣類に関する。
【背景技術】
【０００２】
従来よりウエスト部から大腿部までの体型を引き締めて美しい体型を実現するための衣類が提案されている。例えば、特許文献１では、伸縮性を有する本体部と、本体部の左右一対にそれぞれ配置され、本体部の緊締力よりも強い緊締力を有する帯状の第１の緊締部及び第２の緊締部とを備え、第１の緊締部は、着用者の股部から臀溝に沿い、大転子よりも体側線に沿って上方となる位置を通って臍近傍まで延在し、第２の緊締部は、着用者の腰椎近傍から大殿筋の上部に沿い、大転子よりも体側線に沿って上方となる位置で第１の緊締部に連結されている衣類が記載されている。また、特許文献２では、腰部からアンダーバストの近傍部までを被覆するウエスト布と、腹部、臀部を被覆するパンティ布と、股部を被覆する股布と、大腿部を被覆する大腿布とにより構成されたハイウエストガードルであって、ウエスト布の上部開口周縁部に横方向に伸縮性の高い広幅の伸縮性ベルトを設け、その伸縮性ベルトより伸縮性が低く、横方向より縦方向に伸縮性が高いウエスト布の前身頃正面部にウエスト布の伸縮編地より伸縮性が低く、かつ厚い編地からなる略横長六角形状の当布を設けると共に、ウエスト布より伸縮性が低く、横方向より縦方向に伸縮性が大きいパンティ布の前身頃正面部にパンティ布より低い伸縮編地の腹部押え布を設け、その両側縁にパンティ布より伸縮性が高く、かつ薄いソフトな三角形状の編地を設けてなるハイウエストガードルが記載されている。
【先行技術文献】
【特許文献】
【０００３】
【特許文献１】特許第３９２４５８０号公報
【特許文献２】特許第３５５５９３９号公報
【発明の概要】
【発明が解決しようとする課題】
【０００４】
特許文献１及び２に記載されたように、丸編等により編成された布片を正面側及び背面側の中央部分で縫着して本体部を構成し、本体部に所定形状の布片を所要位置に当てて縫着し伸縮性を調整するようにしている。本体部を構成する布片についても編成により伸縮性を調整するようにしている。
【０００５】
しかしながら、丸編等により編成された本体部に伸縮性の低い布片を直接縫着することは着用感が悪くなり、伸縮性の低い布片部分に違和感が残るようになる。また、着用した際に伸縮性の低い布片部分の周囲に皺が寄りやすくなり、着用時の見栄えが悪くなるといった欠点がある。
【０００６】
そこで、本発明は、伸縮性の異なる部位を着用時にスムーズに伸縮させて体型を無理なく補整することのできる衣類を提供することを目的とするものである。
【課題を解決するための手段】
【０００７】
本発明に係る衣類は、正面側の中央部分に配置されて下腹部位を覆うように設けられるとともに裏側に設けた横方向よりも縦方向の伸縮性の高い布片及び表側に設けた縦方向よりも横方向に伸縮性の高い布片からなる下腹当接部と、前記下腹当接部の左右両側に隣接配置されて大腿部位及び側面から背面側を覆うように設けられるとともに縦方向よりも横方向に伸縮性の高い布片からなる本体部と、前記本体部の裏側において前記下腹当接部の左右両側に隣接配置されて腰部位及び側面から臀部の上部位を覆うように設けられるとともに縦方向よりも横方向に伸縮性の高い布片からなる上側当接部と、前記本体部の裏側において前記下腹当接部の左右両側に隣接配置されて側面から臀部の下部位を覆うように設けられるとともに縦方向よりも横方向に伸縮性の高い布片からなる下側当接部と、前記下腹当接部、前記本体部及び前記上側当接部の上端に隣接配置されるとともに前記下腹当接部、前記本体部及び前記上側当接部よりも横方向の伸縮性の高いテープ状布片からなるリング状のベルト部とを備え、前記下腹当接部の布片の両側辺部は、前記本体部、前記上側当接部及び下側当接部の布片が重ね合わせて縫着されており、前記本体部の背面側には、臀部の中央部位を囲むように間隔を空けて前記上側当接部及び前記下側当接部の布片が重ね合わせて縫着されており、前記ベルト部の下辺部には、前記本体部及び前記上側当接部の布片が重ね合わせて縫着されるとともに前記下腹当接部の布片が縫着されていることを特徴とする。さらに、前記上側当接部は、布片の上辺部が前記下腹当接部から背面側に行くに従い斜め上方向に傾斜する形状に形成されていることを特徴とする。さらに、前記ベルト部は、３ｃｍ〜５ｃｍの幅に設定されていることを特徴とする。
【発明の効果】
【０００８】
上記のような構成を有することで、下腹当接部では、裏側に横方向よりも縦方向の伸縮性の高い布片を設けるとともに表側に縦方向よりも横方向に伸縮性の高い布片を重ねて設けることで、下腹部を縦横に伸縮性を抑えて下腹部を締め付けすぎずにしっかりと押えてすっきりした体型に補整することができる。
【０００９】
また、衣類の表側となる下腹当接部の表側の布片及び本体部の布片は、いずれも縦方向よりも横方向の伸縮性が高いものが用いられており、全体にバランスよく締め付けて体型を補整することができる。
【００１０】
また、本体部の裏側に当てられた上側当接部及び下側当接部は、臀部の上部位及び下部位に配置されて臀部を締め付けるとともに上方に引き上げるように作用して臀部を高く丸い形状に補整することができる。そして、上側当接部及び下側当接部が側面から正面側で本体部に重なるように配置されて締付力が大きくなるように設定され、骨盤を支持して安定した状態にすることができる。
【００１１】
また、ベルト部を、下腹当接部、本体部及び上側当接部の上側に配置してこれらよりも横方向に伸縮性の高いテープ状布片とすることで、下腹当接部、本体部及び上側当接部により締め付けられて上端部が体に食い込み上側に形成されるはみ出し部分を緩く締め付けて目立たないように補整することができる。そして、上端部が体に食い込むことで形成されるはみ出し部分により上端部がめくり返ることがなくなり、良好な着用感を安定して得ることができる。
【図面の簡単な説明】
【００１２】
【図１】本発明に係る衣類を着用した状態を示す正面側外観斜視図及び背面側外観斜視図である。
【図２】図１に示す衣類を構成する布片を示す平面図である。
【図３】各部の布片を縫着する工程に関する説明図である。
【図４】各部の布片を縫着する工程に関する説明図である。
【図５】各部の布片を縫着する工程に関する説明図である。
【図６】各部の布片を縫着する工程に関する説明図である。
【図７】衣類の伸縮性の異なる領域を示す側面図、正面図及び背面図である。
【図８】衣類を着用した状態に関する説明図である。
【発明を実施するための形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る衣類を着用した状態を示す正面側外観斜視図（図１（ａ））及び背面側外観斜視図（図１（ｂ））である。衣類は、着用者のウエスト部から大腿部までを覆うように形成されている。正面側の中央部分には、着用者の下腹部に対応する部位を覆うように逆台形状の下腹当接部１が設けられ、下腹当接部１の左右両側には、着用者の大腿部に対応する部位を覆うとともに側面から背面側を覆うように本体部２が設けられている。
【００１５】
また、本体部２の裏側には、下腹当接部１の左右両側に隣接配置されて着用者の腰部に対応する部位及び側面から臀部の上部位を覆うように上側当接部３設けられ、さらに、下腹当接部１の左右両側に隣接配置されて着用者の側面から臀部の下部位を覆うように下側当接部４が設けられている。
【００１６】
そして、下腹当接部１の布片の両側辺部では、本体部２、上側当接部３及び下側当接部４の布片が重ね合わせて縫着されて縫着ライン１０及び１１が形成され、本体部２の背面側では、臀部の中央部位を囲むように間隔を空けて上側当接部３び下側当接部４の布片が重ね合わせて縫着され、本体部２の両側辺部とともに縫着されて縫着ライン１２が形成されている。
【００１７】
下腹当接部１、本体部２及び上側当接部３の上端には、幅広のテープ状のベルト部５が隣接配置して設けられており、下腹当接部１の下端には、着用者の股部に対応する部位を覆うように股当接部６が本体部２の間に設けられている。
【００１８】
図２は、図１に示す衣類を構成する布片を示す平面図である。下腹当接部１は、同じ形状の２枚の布片１ａ及び１ｂを重ね合わせて構成されており、表側の布片１ａは、縦方向よりも横方向に伸縮性が高くなるように設定されており、裏側の布片１ｂは、横方向よりも縦方向に伸縮性が高くなるように設定されている。そのため、２枚の布片を重ね合わせた状態では、縦横に伸縮性が抑えられた状態に設定することができる。
【００１９】
本体部２は、左右２枚の布片２ａ及び２ｂから構成されており、いずれの布片も縦方向よりも横方向に伸縮性が高くなるように設定されている。布片２ａ及び２ｂは、同じ形状に形成されており、図２において下側半分の略矩形状に形成された部分が大腿部に対応する部位である。布片２ａの上側半分の右側辺部及び布片２ｂの上側半分の左側辺部がそれぞれ下腹当接部１及び股当接部６の両側に隣接し、布片２ａの上側半分の左側辺部及び布片２ｂの上側半分の右側辺部が互いに隣接して、後述するように縫着される。布片２ａ及び２ｂの上辺部は、下腹当接部１から背面側に行くに従い（図２では、内側から外側に行くに従い）斜め上方向に傾斜するように形成されている。
【００２０】
上側当接部３は、左右２枚の布片３ａ及び３ｂから構成されており、いずれの布片も縦方向よりも横方向に伸縮性が高くなるように設定されている。布片３ａの上辺部及び両側辺部は、布片２ａの上側半分の上辺部及び両側辺部に合致するように形成されており、下腹当接部１に隣接する側辺部は、下腹当接部１の側辺部とほぼ同じ形状になるように形成されている。布片３ａの下辺部は、上辺部と同様に斜め上方向に傾斜しわずかに上方に向かって湾曲するように形成されている。布片３ｂについても、布片３ａと同様に、布片２ｂ及び下腹当接部１の形状に対応させて形成されている。
【００２１】
下側当接部４は、左右２枚の布片４ａ及び４ｂから構成されており、いずれの布片も縦方向よりも横方向に伸縮性が高くなるように設定されている。布片４ａの両側辺部は、布片２ａの両側辺部に合致するように形成され、右側辺部は下腹当接部１の側辺部よりも上側及び下側において所定長さが短くなるように設定されている。そのため、布片４ａの右側部分は布片３ａの右側部分と重なり合うように設定される。
【００２２】
また、左側辺部は、布片２ａの上側半分及び下側半分の境界部分に対応するように設定されている。そして、布片４ａの上辺部及び下辺部は、左側から右側に斜め上方向に傾斜しわずかに下方に向かって湾曲するように形成されている。そのため、布片３ａの下辺部と布片４ａの上辺部との間には、左側部分において間隔を空けた状態に設定される。
【００２３】
布片４ｂについても、布片４ａと同様に、布片２ｂ、布片３ｂ及び下腹当接部１の形状に対応させて形成されている。
【００２４】
ベルト部５は、幅３ｃｍ〜５ｃｍのテープ状の布片からなり、下腹当接部１、本体部２及び上側当接部３よりも横方向の伸縮性が高く設定されている。布片の長手方向の長さは、下腹当接部１の上辺部の長さと布片２ａ及び２ｂの各上辺部の長さを加算した値とほぼ一致するように設定されている。
【００２５】
股当接部６は、同じ形状の２枚の布片６ａ及び６ｂを重ね合わせて構成されており、表側の布片６ａ及び裏側の布片６ｂは、着用感が良好となるように適宜伸縮性を設定している。
【００２６】
上述した各部の布片は、経方向及び緯方向にそれぞれ異なった伸縮性を有するようにナイロン繊維等の合成繊維からなる糸を用いて経編又は緯編により編成された公知の編地を裁断して用いられる。布片の経方向及び緯方向の伸長力は、一方の方向の伸長力に対して他方の方向の伸長力が１０％〜１００％大きくなるように設定すればよい。そして、各布片の縦方向及び横方向の伸縮特性に対応して編地の経方向及び緯方向を設定して裁断すればよい。例えば、裏地となる布片及び表地となる布片にそれぞれ異なる伸縮特性を有する生地を用いるようにしてもよく、また各部に伸縮性の異なる別々の生地を用いるようにしてもよい。
【００２７】
図３から図６は、各部の布片を縫着する工程に関する説明図である。図３では、本体部２の布片２ａ及び２ｂにそれぞれ下側当接部４の布片４ａ及び４ｂの両側辺部を位置合わせして縫着し、その上から上側当接部３の布片３ａ及び３ｂの両側辺部及び上辺部を布片２ａ及び２ｂにそれぞれ位置合わせして縫着する。下腹当接部１の布片１ａ及び１ｂ並びに股当接部６の布片６ａ及び６ｂはそれぞれ重ね合わせて縫着し、縫着ライン１０及び１１を形成する。
【００２８】
次に、図４に示すように、布片２ａの右側辺部及び布片２ｂの左側辺部の間に下腹当接部１及び股当接部６の両側辺部を合わせて縫着する。また、布片２ａ及び布片３ａの重なり合った上辺部、下腹当接部１の上辺部及び布片２ｂ及び布片３ｂの重なり合った上辺部に沿うようにベルト部５の布片の下側辺部を合わせて縫着して縫着ライン１３を形成する。
【００２９】
次に、図５に示すように、布片２ａの左側辺部及び布片２ｂの右側辺部を背面側で合わせて、布片３ａ及び３ｂの側辺部、布片４ａ及び４ｂの側辺部並びにベルト部５の両端部とともに縫着して縫着ライン１２を形成する。縫着ライン１２には、細長い当て布をして縫着しておけば、着用した際に縫着部分の肌触りを良好なものとすることができる。また、布片２ａ及び２ｂの下側半分の矩形状部分の両側辺部を合わせて縫着して縫着ライン１４を形成し、大腿部に対応する筒状部分を形成する。
【００３０】
次に、図６に示すように、各布片を縫着した後（図６（ａ））全体を裏返しすることで衣類を仕上げることができる（図６（ｂ））。
【００３１】
図７は、仕上げられた衣類の伸縮性の異なる領域Ａ〜Ｇを示す側面図（図７（ａ））、正面図（図７（ｂ））及び背面図（図７（ｃ））である。領域Ａは、下腹当接部１に対応する領域であり、縦方向よりも横方向に伸縮性が高くなるように設定された布片１ａ及び横方向よりも縦方向に伸縮性が高くなるように設定された布片１ｂを重ね合わせて、縦横に伸縮性が抑えられた状態に設定されている。そのため、下腹部に当接した状態では下腹部を引っ込めるように押えるように作用して下腹部をすっきりした体型に補整する。
【００３２】
領域Ｂでは、本体部２、上側当接部３及び下側当接部４の布片が３重に重なり合って最も伸縮性の抑えた状態に設定される。領域Ｂは、側面の大転子に対応する部位から正面側に拡がるように形成されて領域Ａに接続されている。そして、領域Ｂに接続される領域Ｃは、本体部２及び下側当接部４の布片が２重に重なり合い、領域Ｂに接続される領域Ｄは、本体部２及び上側当接部３の布片が２重に重なり合って、領域Ｂよりも伸縮性の高い領域に設定される。そのため、着用した状態では、領域Ｂに領域Ｃ及びＤが引き付けられるようになり、臀部の上部位及び下部位を締め付けて引き上げるように作用し、臀部を高く丸い形状に体型を補整するようになる。また、領域Ａから領域Ｄが骨盤全体を囲むように接続されているので、骨盤を安定した状態に支持するとともに骨盤にゆがみが生じている場合には正しい位置に戻すように作用するようになる。
【００３３】
領域Ｅ及びＦは、本体部２の布片のみの横方向に伸縮性が高い状態に設定されており、大腿部をそれほど締め付けることなく良好な着用感をえることができる。また、臀部の中央部分の伸縮性が高いので、臀部の中央部分が突出した丸い形状に臀部を補整することができる。
【００３４】
領域Ｇでは、領域Ａ及び領域Ｄよりも横方向の伸縮性が高いため、領域Ａ及び領域Ｄの上端部が体に食い込むようになる場合（図８（ａ）参照）でも、領域Ｇにより緩く締め付けて食い込みによりはみ出す部分を抑えてウエスト部をすっきりした体型に補整することができる（図８（ｂ）参照）。そして、はみ出し部分を抑えることで、食い込んだ上端部がめくり返るのを防止することができ、良好な着用感を維持することが可能となる。
【００３５】
また、領域Ｇは、図７（ａ）に示すように、着用した状態で正面側から背面側に向かって斜め上方向に傾斜した状態に設定されており、着用者が座ったり立ったりする動作を繰り返してもずり落ちることがほとんどなくなる。
【００３６】
また、着用した状態では、表側に下腹当接部１及び本体部２が表出した状態となるので、全体に段差の少ないスムーズな表面形状となり、パンツ等の衣服を着用しても目立つことがない。
【実施例】
【００３７】
下腹当接部１の表側の布片及び本体部２の布片として、伸長率５０％での伸長力が経方向３６４ｋｇｆ及び緯方向５９９ｋｇｆの編地を裁断したものを用い、下腹当接部１の裏側の布片、上側当接部３の布片及び下側当接部４の布片として、伸長率５０％での伸長力が経方向２９８ｋｇｆ及び緯方向５３７ｋｇｆの編地を裁断したものを用いた。下腹当接部１には、２枚の布片を伸縮性の高い方向が直交するように設定し、他の各部についても伸縮特性に応じて布片を配置して作成した。ベルト部５のテープ状布片として、伸長率５０％での伸長力が経方向６６１ｋｇｆで緯方向に伸縮しない編地を所定長さで切断して用いた。そして、これらの布片を上述したように縫着して衣類を作成した。
【００３８】
作成した衣類を樹脂製の人体模型に着用して領域Ａ〜Ｇの接触圧を測定した。測定結果を以下の通りである。なお、領域Ｆの接触圧を１００としている。
領域Ａ  １６８
領域Ｂ  ３２１
領域Ｃ  １５１
領域Ｄ  ２０３
領域Ｅ  ２００
領域Ｆ  １００
領域Ｇ（下辺）６１
領域Ｇ（上辺）４８
正面側の領域Ａ及びＢにおいて接触圧が高くなっており、下腹部を締め付ける力が強くなっていることがわかる。そして、領域Ａでは、縦横に伸縮性の高い布片を組み合わせているので、下腹部全体を縦横に締め付けて膨出を抑えた体型に補整することができる。また、領域Ｃ及びＤにより臀部の上下を締め付けて臀部を丸い形に補整することができる。領域Ｇは、下辺から上辺に行くに従い接触圧が低くなって締め付けが上に行くに従い弱くなっており、ウエスト部をすっきりした体型に補整することができる。
【符号の説明】
【００３９】
１    下腹当接部
２    本体部
３    上側当接部
４    下側当接部
５    ベルト部
６    股当接部
10    縫着ライン
11    縫着ライン
12    縫着ライン
13    縫着ライン
14    縫着ライン
【図１】
0005523999.tif 000002
【図２】
0005523999.tif 000003
【図３】
0005523999.tif 000004
【図４】
0005523999.tif 000005
【図５】
0005523999.tif 000006
【図６】
0005523999.tif 000007
【図７】
0005523999.tif 000008
【図８】
0005523999.tif 000009